【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
指示部材によるタッチ操作が行われる検出面を備えたタッチパネルと、前記検出面を表示画面として所要の画像を表示する表示装置と、前記指示部材による操作に応じて前記表示装置に画像を表示させる情報処理装置とを備えたタッチパネルシステムであって、
前記検出面に前記指示部材が接近したことを検出する近接検出部と、
少なくとも色を含む描画の設定内容を管理する色管理部と、
前記近接検出部により前記指示部材が接近してから所定時間を超えて接近したまま停留したことを検出した場合、前記情報処理装置を介して、前記色管理部が管理する現在の描画の設定内容を前記表示装置により前記検出面に表示させる制御部と、を備えたことを特徴とするタッチパネルシステム。
【請求項２】
前記近接検出部により前記指示部材の接近を検出し、続けて接近を検出しなくなり、再度接近を検出するとともに所定時間を超えて接近したまま停留したことを検出した場合、前記制御部は、前記色管理部により次の候補として管理される描画の設定内容を前記表示装置により前記検出面に表示させることを特徴とする請求項１記載のタッチパネルシステム。
【請求項３】
前記検出面に前記指示部材が接触したことを検出する接触検出部を備え、
前記次の候補として管理される描画の設定内容を表示中に接触検出部により前記指示部材の接触を検出した場合、前記制御部は、前記表示された描画の設定内容に変更確定することを特徴とする請求項２記載のタッチパネルシステム。
【請求項４】
前記検出面に沿って設けられたマトリクス状の電極群を備え、
前記近接検出部は、前記指示部材の接近による前記電極群の静電容量の変化に基づいて取得した検出値および当該検出値を取得した際の計測時間とから、前記指示部材と前記検出面との離間間隔を判定することを特徴とする請求項１乃至請求項３のいずれかに記載のタッチパネルシステム。
【請求項５】
前記離間間隔に応じて前記検出面に表示させる表示態様を変化させることを特徴とする請求項４記載のタッチパネルシステム。
【請求項６】
前記近接検出部は、前記検出値の最大値が所定の値未満の場合は前記計測時間を長くし、一方、前記指示部材の接近に伴って前記検出値が増加してくる場合は前記計測時間を短くしていくことを特徴とする請求項４記載のタッチパネルシステム。
【請求項７】
互いに並走する複数の行検出電極および互いに並走する複数の列検出電極がマトリクス状に設けられたパネル本体と、
情報処理装置に信号を送信する通信部と、
前記行検出電極および前記列検出電極から出力される検出値に基づいて指示部材の前記パネル本体への接近を検出する近接検出部と、
少なくとも色を含む描画の設定内容を管理する色管理部と、
前記近接検出部により前記指示部材が接近してから所定時間を超えて接近したまま停留したことを検出した場合、前記色管理部が管理する現在の描画の設定内容を、前記通信部を介して前記情報処理装置に送信する制御部とを備えたことを特徴とするインタラクティブボード。
【請求項８】
前記近接検出部により前記指示部材の接近を検出し、続けて接近を検出しなくなり、再度接近を検出するとともに所定時間を超えて接近したまま停留したことを検出した場合、前記制御部は、前記色管理部により次の候補として管理される描画の設定内容を前記情報処理装置に送信することを特徴とする請求項７記載のインタラクティブボード。
【請求項９】
指示部材によるタッチ操作が行われる検出面を備えたタッチパネルと、前記検出面を表示画面として所要の画像を表示する表示装置と、前記指示部材による操作に応じて前記表示装置に画像を表示させる情報処理装置とを備えたタッチパネルシステムの設定内容表示方法であって、
前記検出面に前記指示部材が接近したことを検出してから所定時間を超えて接近したまま停留した場合、前記情報処理装置を介して、現在の描画の設定内容を前記表示装置により前記検出面に表示させることを特徴とする設定内容表示方法。
【請求項１０】
前記指示部材の接近を検出し、続けて接近を検出しなくなり、再度接近を検出するとともに所定時間を超えて接近したまま停留したことを検出した場合、前記情報処理装置を介して、次の候補として管理される描画の設定内容を前記表示装置により前記検出面に表示させることを特徴とする請求項９記載の設定内容表示方法。
【手続補正２】
【補正対象書類名】明細書
【補正対象項目名】発明の名称
【補正方法】変更
【補正の内容】
【発明の名称】タッチパネルシステムおよびインタラクティブボードおよび設定内容表示方法
【手続補正３】
【補正対象書類名】明細書
【補正対象項目名】０００１
【補正方法】変更
【補正の内容】
【０００１】
本発明は、タッチパネルの備える機能を簡易に設定、変更可能であり、設定状態の表示に特徴を有するタッチパネルシステムおよびインタラクティブボードおよび設定内容表示方法に関するものである。
【手続補正４】
【補正対象書類名】明細書
【補正対象項目名】００１０
【補正方法】変更
【補正の内容】
【００１０】
本発明は、設定された情報を検出面としての座標入力面（タッチ面）上で容易に確認でき、更に設定を変更する際にも簡便な操作で変更が可能なタッチパネルシステムおよびインタラクティブボードおよび設定内容表示方法を提供することを目的とする。
【手続補正５】
【補正対象書類名】明細書
【補正対象項目名】００１１
【補正方法】変更
【補正の内容】
【００１１】
本発明のタッチパネルシステムは、指示部材によるタッチ操作が行われる検出面を備えたタッチパネルと、前記検出面を表示画面として所要の画像を表示する表示装置と、前記指示部材による操作に応じて前記表示装置に画像を表示させる情報処理装置とを備えたタッチパネルシステムであって、前記検出面に前記指示部材が接近したことを検出する近接検出部と、少なくとも色を含む描画の設定内容を管理する色管理部と、前記近接検出部により前記指示部材が接近してから所定時間を超えて接近したまま停留したことを検出した場合、前記情報処理装置を介して、前記色管理部が管理する現在の描画の設定内容を前記表示装置により前記検出面に表示させる制御部と、を備えたことを特徴とする。
【手続補正６】
【補正対象書類名】明細書
【補正対象項目名】００１３
【補正方法】変更
【補正の内容】
【００１３】
また本発明は、前記近接検出部により前記指示部材の接近を検出し、続けて接近を検出しなくなり、再度接近を検出するとともに所定時間を超えて接近したまま停留したことを検出した場合、前記制御部は、前記色管理部により次の候補として管理される描画の設定内容を前記表示装置により前記検出面に表示させるものである。
【手続補正７】
【補正対象書類名】明細書
【補正対象項目名】００１５
【補正方法】変更
【補正の内容】
【００１５】
また本発明は、前記検出面に前記指示部材が接触したことを検出する接触検出部を備え、前記次の候補として管理される描画の設定内容を表示中に前記接触検出部により前記指示部材の接触を検出した場合、前記制御部は、前記表示された描画の設定内容に変更確定するようにしたものである。
【手続補正８】
【補正対象書類名】明細書
【補正対象項目名】００１６
【補正方法】変更
【補正の内容】
【００１６】
これによって、使用者はタッチパネルの表面に指示部材を近づけたり遠ざけたりすることで、１回目の近接行為によって現在の描画色の設定内容を知り、２回目以降の近接行為によって、描画色の設定を切り替え、これらのうち任意の近接行為に続いて、指示部材をタッチパネルに接触させれば、以降の描画色を確定することができる。
また本発明は、前記検出面に沿って設けられたマトリクス状の電極群を備え、前記近接検出部は、前記指示部材の接近による前記電極群の静電容量の変化に基づいて取得した検出値および当該検出値を取得した際の計測時間とから、前記指示部材と前記検出面との離間間隔を判定するものである。
また本発明は、前記離間間隔に応じて前記検出面に表示させる表示態様を変化させるものである。
また本発明は、前記近接検出部は、前記検出値の最大値が所定の値未満の場合は前記計測時間を長くし、一方、前記指示部材の接近に伴って前記検出値が増加してくる場合は前記計測時間を短くしていくものである。
また本発明のインタラクティブボードは、互いに並走する複数の行検出電極および互いに並走する複数の列検出電極がマトリクス状に設けられたパネル本体と、情報処理装置に信号を送信する通信部と、前記行検出電極および前記列検出電極から出力される検出値に基づいて指示部材の前記パネル本体への接近を検出する近接検出部と、少なくとも色を含む描画の設定内容を管理する色管理部と、前記近接検出部により前記指示部材が接近してから所定時間を超えて接近したまま停留したことを検出した場合、前記色管理部が管理する現在の描画の設定内容を、前記通信部を介して前記情報処理装置に送信する制御部とを備えたことを特徴とする。
また本発明のインタラクティブボードは、前記近接検出部により前記指示部材の接近を検出し、続けて接近を検出しなくなり、再度接近を検出するとともに所定時間を超えて接近したまま停留したことを検出した場合、前記制御部は、前記色管理部により次の候補として管理される描画の設定内容を前記情報処理装置に送信するものである。
【手続補正９】
【補正対象書類名】明細書
【補正対象項目名】００１７
【補正方法】変更
【補正の内容】
【００１７】
本発明の設定内容表示方法は、指示部材によるタッチ操作が行われる検出面を備えたタッチパネルと、前記検出面を表示画面として所要の画像を表示する表示装置と、前記指示部材による操作に応じて前記表示装置に画像を表示させる情報処理装置とを備えたタッチパネルシステムの設定内容表示方法であって、前記検出面に前記指示部材が接近したことを検出してから所定時間を超えて接近したまま停留した場合、前記情報処理装置を介して、現在の描画の設定内容を前記表示装置により前記検出面に表示させるようにしたものである。
【手続補正１０】
【補正対象書類名】明細書
【補正対象項目名】００１９
【補正方法】変更
【補正の内容】
【００１９】
また本発明の設定内容表示方法は、前記指示部材の接近を検出し、続けて接近を検出しなくなり、再度接近を検出するとともに所定時間を超えて接近したまま停留したことを検出した場合、前記情報処理装置を介して、次の候補として管理される描画の設定内容を前記表示装置により前記検出面に表示させるものである。